(57)【要約】【課題】  天井との間にできる隙間の大小に合わせて、ガタツキ防止具の高さを容易に調整できる照明器具を提供する。【解決手段】  上部に取付孔２２を有する器具本体２と、取付孔２２と略同形の取付孔５２を有して板バネで構成されるガタツキ防止具５と、器具本体２の取付孔２２に係合可能な取付凸部６２を有する取付具６と、上部に器具本体２の取付孔２２と略同形の取付孔７２を有し下部に取付具６の取付凸部６２と略同形の取付凸部７１を有するスペーサ７とを備え、器具本体２と、器具本体２の取付孔２２に取付凸部６２を係合させて取り付けた取付具６との間にガタツキ防止具５を狭持して取り付け可能とするとともに、器具本体２の取付孔２２に取付凸部７１を係合させて取り付けたスペーサ７と、スペーサ７の取付孔７２に取付凸部６２を係合させて取り付けた取付具６との間にガタツキ防止具５を狭持して取り付け可能として照明器具１を構成する。【選択図】  図８
2005100863.tif 000002
【特許請求の範囲】
【請求項１】
天井に配置された引掛シーリングに着脱自在に装着される照明器具であって、
天井との間に配置して当該照明器具のガタツキを防止するガタツキ防止具を着脱自在に取り付けたことを特徴とする照明器具。
【請求項２】
請求項１に記載の照明器具において、
ガタツキ防止具は取付高さを調整するためのスペーサを介して取り付け可能であることを特徴とする請求項１に記載の照明器具。
【請求項３】
請求項１に記載の照明器具において、
上部に取付孔を有する器具本体と、当該取付孔と略同形の取付孔を有して板バネで構成されるガタツキ防止具と、器具本体の取付孔に係合可能な取付凸部を有する取付具と、を備え、
器具本体と、器具本体の取付孔に取付凸部を係合させて取り付けた取付具との間にガタツキ防止具を狭持して取り付け可能としたことを特徴とする照明器具。
【請求項４】
請求項３に記載の照明器具において、
上部に器具本体の取付孔と略同形の取付孔を有し、下部に取付具の取付凸部と略同形の取付凸部を有するスペーサを更に備え、
器具本体の取付孔に取付凸部を係合させて取り付けたスペーサと、スペーサの取付孔に取付凸部を係合させて取り付けた取付具との間にガタツキ防止具を狭持して取り付け可能としたことを特徴とする照明器具。
【請求項５】
請求項３に記載の照明器具において、
２以上の異なる高さのガタツキ防止具を備え、当該２以上のガタツキ防止具の何れかを選択して取り付け可能としたことを特徴とする照明器具。
【請求項６】
請求項１に記載の照明器具において、
上部に取付孔を有する器具本体と、当該取付孔と略同形の取付孔を有して板バネで構成されるガタツキ防止具と、上部及び下部に器具本体の取付孔に係合可能な取付凸部をそれぞれ有する取付具と、を備え、
器具本体と、器具本体の取付孔に取付凸部を係合させて取り付けた取付具との間にガタツキ防止具を狭持して取り付け可能とするとともに、
器具本体の取付孔に下部取付凸部を係合させて取り付けた取付具の上部取付凸部に取付孔を係合させてガタツキ防止具を取り付け可能としたことを特徴とする照明器具。
【発明の詳細な説明】
【技術分野】
【０００１】
本発明は、天井の下面に設置された引掛シーリングに着脱自在に装着される照明器具に関するものであり、より詳細には照明器具のガタツキを防止するガタツキ防止具を備えた照明器具に関するものである。
【０００２】
なお、本明細書で上又は下というときは、照明器具を天井シーリングに取り付けた状態での上又は下をいう。
【背景技術】
【０００３】
従来から、室内用の照明器具として、天井に配置された引掛シーリングに着脱自在に装着される照明器具が使用されている。このタイプの照明器具は、例えば、引掛シーリングにアダプタを接続し、当該アダプタに照明器具の接続用孔を挿入して、アダプタに設けた突出片を接続用孔の縁片に係合させることで、引掛シーリングに装着される。
【０００４】
そして、このように照明器具を引掛シーリングに装着する際に、照明器具の上面が天井下面と干渉して取り付けできないという事態を避けるため、照明器具の上面と天井下面との間に隙間ができるようにして、多様な引掛けシーリング形状に対応できるようにしている。
【０００５】
しかしながら、当該隙間は照明器具の取り付け後には却って邪魔になり、電球交換や清掃の際に照明器具ががたついて作業がやり難くなっていた。このため、従来から、照明器具の上面に、ガタツキ防止具としてのスポンジパッキンを貼り付け、天井との間にできる隙間を埋めることがなされている（例えば、引用文献１を参照。）。
【特許文献１】実開平４−１１６３０３号公報
【発明の開示】
【発明が解決しようとする課題】
【０００６】
しかしながら、上述のように照明器具の上面にガタツキ防止具としてのスポンジパッキンを貼り付ける場合では、用意したスポンジパッキンの高さが天井との間にできる隙間より小さい場合に、他のスポンジパッキンに貼り替えたり、更に別のスポンジパッキンを追加したりする必要があり、ガタツキ防止具の取り付け及び高さ調整の作業が煩雑となっていた。
【０００７】
本発明は、かかる事情に鑑みてなされたもので、天井との間にできる隙間の大小に合わせて、ガタツキ防止具の高さを容易に調整できる照明器具を提供することを課題とする。
【課題を解決するための手段】
【０００８】
この課題を解決するため、本発明の照明器具は、天井に配置された引掛シーリングに着脱自在に装着される照明器具であって、天井との間に配置して当該照明器具のガタツキを防止するガタツキ防止具を着脱自在に取り付けたことを特徴とする（請求項１）。
【０００９】
これによれば、天井との間にできる隙間の大小に合わせて、適切な高さのガタツキ防止具を選択して、又は、適切な高さとなるようにスペーサを介在させてガタツキ防止具を装着することができ、ガタツキ防止具の高さを容易に調整することができる。
【００１０】
また、この照明器具において、ガタツキ防止具は取付高さを調整するためのスペーサを介して取り付け可能であることが良い（請求項２）。
【００１１】
これによれば、天井との間にできる隙間の大小に合わせて、適切な高さとなるようにスペーサを介在させてガタツキ防止具を装着することができ、ガタツキ防止具の高さを容易に調整することができる。
【００１２】
また、上記照明器具において、上部に取付孔を有する器具本体と、当該取付孔と略同形の取付孔を有して板バネで構成されるガタツキ防止具と、器具本体の取付孔に係合可能な取付凸部を有する取付具と、を備え、器具本体と、器具本体の取付孔に取付凸部を係合させて取り付けた取付具との間にガタツキ防止具を狭持して取り付け可能とすることが良い（請求項３）。
【００１３】
これによれば、器具本体と取付具とを係合させることで容易にガタツキ防止具を装着することができ、また器具本体と取付具との係合を解くことで容易にガタツキ防止具を取り外すことができる。従って、適切な高さのガタツキ防止具を選択して、又は、適切な高さとなるようにスペーサを介在させてガタツキ防止具を容易に装着することができ、ガタツキ防止具の高さを容易に調整することができる。
【００１４】
この照明器具において、上部に器具本体の取付孔と略同形の取付孔を有し、下部に取付具の取付凸部と略同形の取付凸部を有するスペーサを更に備え、器具本体の取付孔に取付凸部を係合させて取り付けたスペーサと、スペーサの取付孔に取付凸部を係合させて取り付けた取付具との間にガタツキ防止具を狭持して取り付け可能とすることが良い（請求項４）。
【００１５】
これによれば、適切な高さとなるようにスペーサを介在させてガタツキ防止具を容易に装着することができ、ガタツキ防止具の高さを容易に調整することができる。
【００１６】
また、上記照明器具において、２以上の異なる高さのガタツキ防止具を備え、当該２以上のガタツキ防止具の何れかを選択して取り付け可能とすることが良い（請求項５）。
【００１７】
これによれば、適切な高さのガタツキ防止具を選択して容易に装着することができ、ガタツキ防止具の高さを容易に調整することができる。
【００１８】
更に、上記照明器具において、上部に取付孔を有する器具本体と、当該取付孔と略同形の取付孔を有して板バネで構成されるガタツキ防止具と、上部及び下部に器具本体の取付孔に係合可能な取付凸部をそれぞれ有する取付具と、を備え、器具本体と、器具本体の取付孔に取付凸部を係合させて取り付けた取付具との間にガタツキ防止具を狭持して取り付け可能とするとともに、器具本体の取付孔に下部取付凸部を係合させて取り付けた取付具の上部取付凸部に取付孔を係合させてガタツキ防止具を取り付け可能とすることが良い（請求項６）。
【００１９】
これによれば、器具本体と取付具との間に挟持してガタツキ防止具を取り付けることによりガタツキ防止具を低く取り付けことができ、一方、器具本体に取り付けた取付具にガタツキ防止具を取り付けることによりガタツキ防止具を高く取り付けることができる。したがって、器具本体と取付具とを係合させることで容易にガタツキ防止具を装着することができ、また器具本体と取付具との係合を解くことで容易にガタツキ防止具を取り外すことができる。従って、適切な高さのガタツキ防止具を選択して、又は、適切な高さとなるようにスペーサを介在させてガタツキ防止具を容易に装着することができ、ガタツキ防止具の高さを容易に調整することができる。
【発明の効果】
【００２０】
本発明の照明器具によれば、天井との間にできる隙間の大小に合わせて、ガタツキ防止具の高さを容易に調整できる。
【発明を実施するための最良の形態】
【００２１】
以下、本発明の実施形態の一例について説明する。
【００２２】
（１）第１実施形態：
先ず、第１実施形態に係る照明器具の全体構成について、図１及び２を参照して説明する。図１は、第１実施形態に係る照明器具の分解立体図であり、図２は同照明器具の上面を示す斜視図である。
【００２３】
図１に示すように、照明器具１は、器具本体２とカバー３とで主に構成され、アダプタ４を介して天井の引掛シーリングに取り付けられる。
【００２４】
器具本体２は、サークルランプＬ及び豆球Ｂが取り付けられ、内部にサークルランプＬ及び豆球Ｂを点灯させる点灯装置（図示せず）を備える。また、器具本体２は、略中央部に接続用孔２１が形成され、この接続用孔２１にアダプタ４が接続される。
【００２５】
また、図２に示すように、器具本体２は、取付状態において天井と対向する上面２ａにガタツキ防止具５を取り付けるための取付孔２２が形成され、この取付孔２２に取付具６を用いてガタツキ防止具５が取り付けられる。なお、天井との間にできる隙間が大きい場合は、後述するように、スペーサ７を介在させてガタツキ防止具５を取り付けることができる。取付孔２２、ガタツキ防止具５、取付具６及びスペーサ７の詳細については後述する。
【００２６】
カバー３は、サークルランプＬ及び豆球Ｂを覆うように器具本体２の下面に取り付けられ、サークルランプＬ及び豆球Ｂからの照明光を調整し、また、意匠性を醸し出す。
【００２７】
アダプタ４は、引掛シーリングＣの係合孔Ｃ１に挿入される係合子４１を上部に備え、また、出入自在な突出片４２を側面に備えて構成される。そして、アダプタ４は、係合子４１が係合孔Ｃ１に挿入されて引掛シーリングに取り付けられると共に、下部が器具本体２の接続用孔２１に挿入され、接続用孔２１の縁片に突出片４２を係合させて器具本体２を接続する。
【００２８】
次に、取付孔２２、ガタツキ防止具５、取付具６及びスペーサ７の詳細について、図３乃至６を参照して説明する。図３は、器具本体２の上面２ａに形成された取付孔２２を示す部分拡大図であり、図４（Ａ）はガタツキ防止具５の上面を示す斜視図、（Ｂ）は同下面を示す斜視図であり、図５（Ａ）は取付具６の上面を示す斜視図、（Ｂ）は同下面を示す斜視図であり、図６（Ａ）はスペーサ７の上面を示す斜視図、（Ｂ）は同下面を示す斜視図である。
【００２９】
図３に示すように、器具本体２の上面２ａに形成された取付孔２２は、対向する２ヶ所に切欠２２ａを有する円形孔２２ｂで形成される。
【００３０】
図４に示すように、ガタツキ防止具５は、水平面からなる取付部５ａと、当該取付部５ａから斜め上方に延びる翼部５ｂとを備えた金属製の板バネで形成され、翼部５ｂの先端５ｂｉを天井下面に当接させて得られる弾性力により照明器具を天井に対して保持する役割を果たす。なお、翼部先端５ｂｉを少なくとも含む部分は、薄肉ゴム製の被覆体５１で覆われており、これにより天井下面の傷つき等を防止している。また、ガタツキ防止具５の取付部５ａには、対向する２ヶ所に切欠５２ａを有する円形孔５２ｂで形成される取付孔５２が形成され、当該取付孔５２を利用して器具本体２に取り付けられる。なお、取付孔５２は、器具本体２の取付孔２２と略同形状に形成される。
【００３１】
図５に示すように、取付具６は、上部に摘み部６１を、下部に係合孔に対応する取付凸部６２を備えて形成される。取付凸部６２は、取付孔２２,５２の円形孔２２ｂ,５２ｂと略同形の断面を有する柱体６２ａと、当該柱体６２ａの下端に形成され取付孔２２，５２の切欠２２ａ，５２ａと略同形に形成された係合片６２ｂとで構成される。このように形成された取付具６は、器具本体２の取付孔２２又はスペーサ７の取付孔７２に固定される。
【００３２】
図６に示すように、スペーサ７は、断面矩形形状の中空部材から成り、その底面７ａに取付凸部７１が、また上面７ｂに取付孔７２がそれぞれ形成される。取付凸部７１は、取付凸部６２と同様に、柱体７１ａの下端に係合片７１ｂを備えて構成される。また、取付孔７２は、取付孔２２，５２と同様に、対向する２ヶ所に切欠７２ａを有する円形孔７２ｂで構成される。このように形成されたスペーサ７は、必要に応じて器具本体２とガタツキ防止具５との間に介在され、ガタツキ防止具５の取付高さを調整する役割を果たす。なお、取付凸部７１の係合片７１ｂと取付孔７２の切欠７２ａとは、互いに異なる方向を向くように形成され、具体的には、略９０度異なる方向を向くように形成される。これによれば、スペーサ７を上記異なる方向分だけ回転させて照明器具に取り付けることにより、器具本体２の取付孔２２の切欠２２ａとスペーサ７の取付孔７２の切欠７２ａとが同じ方向に向くようすることができ、ひいてはスペーサ７の有無に関わらず、ガタツキ防止具５を同じ状態、即ち翼部５ｂを所定の方向に向けた状態で器具本体２に取り付けることができる。
【００３３】
次に、ガタツキ防止具５を器具本体２に取り付ける手順について図７及び８を参照して説明する。図７は、器具本体２にガタツキ防止具５を直接取り付ける場合の取付手順を説明する図、図８は、器具本体２にスペーサ７を介在させてガタツキ防止具５を取り付ける場合の取付手順を説明する図である。
【００３４】
始めに、器具本体２に直接ガタツキ防止具５を取り付ける場合の取付手順について説明する。
【００３５】
図７に示すように、先ず、ガタツキ防止具５を器具本体２の上面２ａに配置する（図７（Ａ））。このとき、ガタツキ防止具５の取付孔５２が器具本体２の取付孔２２と重なるように、即ちそれぞれの切欠５２ａ，２２ａ同士が重なるように、ガタツキ防止具５を器具本体２の上面２ａに配置する。
【００３６】
次いで、取付孔５２，２２にガタツキ防止具５側から取付具６を挿入する（図７（Ｂ））。即ち、取付具６の取付凸部６２を、係合片６２ｂと取付孔２２，５２の切欠２２ａ，５２ａとを位置合わせして、取付孔２２，５２に挿入する。
【００３７】
次いで、取付具６を柱体６２ａの軸を中心として回転し（図７（Ｃ））、係合片６２ｂを器具本体２の取付孔２２の縁片に係合固定する（図７（Ｄ））。以上のように、ガタツキ防止具５は、取付具６と器具本体２との間に挟み困れるようにして、照明器具２に取り付けられる。
【００３８】
次に、器具本体２にスペーサ７を介在させてガタツキ防止具５を取り付ける場合の取付手順について説明する。
【００３９】
図８に示すように、先ず、スペーサ７を取付凸部７１の係合片７１ｂが器具本体２の取付孔２２の切欠２２ａの方向を向くように位置合わせし（図８（Ａ））、取付凸部７１を器具本体２の取付孔２２に挿入し（図８（Ｂ））、その後、柱体７１ａの軸を中心に略９０度回転させ、取付孔２２の縁片に係合片７１ｂを係合させる（図８（Ｃ））。
【００４０】
次いで、ガタツキ防止具５をスペーサ７の上面に双方の取付孔５２，７２が重なるように配置し（図８（Ｄ））、取付具６の取付凸部６２をこれら取付孔５２，７２に挿入し（図８（Ｅ））、その後、取付具６をその柱体６１の軸を中心として略９０度回転させて係合片６２をスペーサ７の取付孔７２の縁片に係合させる（図８（Ｆ））。このようにして、ガタツキ防止具５を器具本体２にスペーサ７を介在させた状態で取り付けることができる。
【００４１】
以上のように、スペーサ７を介在させた場合でも、スペーサ７を介在させない場合でも、同一のガタツキ防止具５を器具本体２に取り付けることができ、従って、照明器具１と天井との間にできる隙間の大小に応じて、ガタツキ防止具５の設置高さを容易に調整することができ、ひいては多様な引掛シーリング形状又は天井形状に容易に対応できる照明器具１とすることができる。
【００４２】
（２）第２実施形態：
本発明の第２実施形態は、第１実施形態の取付具６及びスペーサ７に替えて、取付具兼スペーサとしての取付具１６を用いた場合の実施形態であり、他の構成については第１実施形態と同一であるので、同一の構成要素には同一の符号を用い、ここでの説明は省略する。
【００４３】
先ず、第２実施形態に係る取付具１６について図９を参照して説明する。図９（Ａ）は第２実施形態に係る取付具１６の上面を示す斜視図、（Ｂ）は同下面を示す斜視図である。
【００４４】
図９に示すように、取付具１６は、断面矩形形状の中空部材から成り、その上面１６ａ及び下面１６ｂに取付凸部１６１，１６２を備えて形成される。取付凸部１６１，１６２は、取付孔２２,５２の円形孔２２ｂ,５２ｂと略同形の断面を有する柱体１６１ａ，１６２ａと、当該柱体１６１ａ，１６２ａの下端に形成され取付孔２２，５２の切欠２２ａ，５２ａと略同形に形成された係合片１６１ｂ，１６２ｂとで構成される。
【００４５】
このように形成された取付具１６は、ガタツキ防止具５の上方に配置して、取付具として用いることができ、また、器具本体２とガタツキ防止具５との間に配置して、取付具兼スペーサとして用いることもできる。
【００４６】
次に、取付具１６を用いて、ガタツキ防止具５を器具本体２に取り付ける手順について図１０及び１１を参照して説明する。図１０は、取付具１６を取付具として用いる場合のガタツキ防止具５の取付手順を説明する図であり、図１１は、取付具１６を取付具兼スペーサとして用いる場合のガタツキ防止具５の取付手順を説明する図である。
【００４７】
始めに、取付具１６を取付具として用いる場合のガタツキ防止具５の取付手順について説明する。
【００４８】
図１０に示すように、先ず、ガタツキ防止具５を器具本体２の上面２ａに配置する（図１０（Ａ））。このとき、ガタツキ防止具５の取付孔５２が器具本体２の取付孔２２と重なるように、即ちそれぞれの切欠５２ａ，２２ａ同士が重なるように、ガタツキ防止具５を器具本体２の上面２ａに配置する。
【００４９】
次いで、取付孔５２，２２にガタツキ防止具５側から取付具１６を挿入する（図７（Ｂ））。即ち、取付具１６の取付凸部１６２を、係合片１６２ｂと取付孔２２，５２の切欠２２ａ，５２ａとを位置合わせして、取付孔２２，５２に挿入する。
【００５０】
次いで、取付具１６を柱体１６２ａの軸を中心として回転し、係合片１６２ｂを器具本体２の取付孔２２の縁片に係合固定する（図７（Ｄ））。以上のように、ガタツキ防止具５は、取付具１６と器具本体２との間に挟み困れるようにして、器具本体２に取り付けられる。
【００５１】
次に、取付具１６を取付具兼スペーサとして用いる場合のガタツキ防止具５の取付手順について説明する。
【００５２】
図１１に示すように、先ず、取付具１６を、その取付凸部１６２の係合片１６２ｂを取付孔２２の切欠２２ａの方向に向けて器具本体２の上面２ａに配置して、取付凸部１６２を取付孔２２に挿入し（図１１（Ａ））、次いで、取付具１６を柱体１６２ａの軸を中心に略９０度回転して係合片１６２ｂを器具本体２の取付孔２２の縁片に係合して固定する（図１１（Ｂ））。
【００５３】
次いで、ガタツキ防止具５を、その取付孔５２の切欠５２ａを取付凸部１６１の係合片１６１ｂの方向に向けて取付具１６の上面１６ａに配置して、取付孔５２を取付凸部１６１に挿入し（図１１（Ｃ）（Ｄ））、次いで、ガタツキ防止具５を略９０度回転して（図１１（Ｅ））、係合片１６１ｂを取付孔５２の縁片に係合して固定する（図１１（Ｆ））。以上のように、ガタツキ防止具５は、取付具１６を介して器具本体２に取り付けられる。
【００５４】
以上のように、取付具１６を取付具として、又は、取付具兼スペーサとして用いて、ガタツキ防止具５を器具本体２に取り付けることができ、少ない部品点数でガタツキ防止具５の高さを容易に調整することができ、ひいては多様な引掛シーリング形状又は天井形状に容易に対応できる照明器具１とすることができる。
【００５５】
（３）第３実施形態：
本発明の第２実施形態は、図１２に示すように、異なる高さに構成された２種類のガタツキ防止具５Ａ，５Ｂを用いる場合の実施形態であり、他の構成については第１実施形態と同一であるので、同一の構成要素には同一の符号を用い、ここでの説明は省略する。
【００５６】
ガタツキ防止具５Ａ，５Ｂは、異なる高さＴａ，Ｔｂ（Ｔａ＜Ｔｂ）に形成される。そして、器具本体２にガタツキ防止具５Ａを取り付けることで、天井との隙間が小さい場合に対応でき、器具本体２にガタツキ防止具５Ｂを取り付けることで、天井との隙間が大きい場合に対応できる。
【００５７】
以上のように、２種類のガタツキ防止具５Ａ，５Ｂを選択して取り付けることで、ガタツキ防止具５の高さを容易に調整することができ、ひいては多様な引掛シーリング形状又は天井形状に容易に対応できる照明器具１とすることができる。
なお、異なる高さに構成された３種類以上のガタツキ防止具５を用いることにより、より多様な引掛シーリング形状又は天井形状に容易に対応できる照明器具１とすることができる。
（４）変形実施形態：
以上の実施形態では、取付孔２２，５２，７２の切欠２２ａ，５２ａ，７２ａを対向位置に２個設けた場合を示したが、これに限られず、例えば１２０度間隔で３個、又はそれ以上設けても良い。この場合、取付凸部６２，７１，１６１，１６２の係止片６２ｂ，７１ｂ，１６１ｂ，１６２ｂも対応する個数設ければ良い。
【００５８】
また、以上の実施形態に限らず、例えば器具本体２に取付凸部を設けて当該取付凸部に取付孔５２を係合させてガタツキ防止具５を取り付けるようにしたり、ガタツキ防止具５に取付凸部を設けて当該取付凸部を器具本体２の取付孔２２に係合させてガタツキ防止具５を取り付けるようにしても良い。前者の場合、下部に取付孔を上部に取付凸部を設けたスペーサを用いれば良く、また、後者の場合、下部に取付凸部を上部に取付孔を設けたスペーサを用いれば良い。
【００５９】
更に、本発明は前述した実施形態に限定されるものではなく、特許請求の範囲に記載された発明の範囲内で、様々に変形又は変更することが可能である。
【図面の簡単な説明】
【００６０】
【図１】第１実施形態に係る照明器具の分解立体図である。
【図２】第１実施形態に係る照明器具の上面を示す斜視図である。
【図３】第１実施形態に係る器具本体の上面に形成された取付孔を示す部分拡大図である。
【図４】（Ａ）は第１実施形態に係るガタツキ防止具の上面を示す斜視図、（Ｂ）は同下面を示す斜視図である。
【図５】（Ａ）は第１実施形態に係る取付具の上面を示す斜視図、（Ｂ）は同下面を示す斜視図である。
【図６】（Ａ）は第１実施形態に係るスペーサの上面を示す斜視図、（Ｂ）は同下面を示す斜視図である。
【図７】第１実施形態に係る器具本体にガタツキ防止具を直接取り付ける場合の取付手順を説明する図である。
【図８】第１実施形態に係る器具本体にスペーサを介在させてガタツキ防止具を取り付ける場合の取付手順を説明する図である。
【図９】（Ａ）は第２実施形態に係る取付具の上面を示す斜視図、（Ｂ）は同下面を示す斜視図である。
【図１０】第２実施形態に係る取付具を取付具として用いる場合のガタツキ防止具の取付手順を説明する図である。
【図１１】第２実施形態に係る取付具を取付具兼スペーサとして用いる場合のガタツキ防止具の取付手順を説明する図である。
【図１２】第３実施形態に係るガタツキ防止具を説明する図である。
【符号の説明】
【００６１】
１  照明器具
２  器具本体
２２  取付孔
３  カバー
４  アダプタ
５  ガタツキ防止具
５２  取付孔
６  取付具
６２  取付凸部
７  スペーサ
７１  取付凸部
７２  取付孔
１６  取付具
１６１，１６２  取付凸部
【図１】
2005100863.tif 000003
【図２】
2005100863.tif 000004
【図３】
2005100863.tif 000005
【図４】
2005100863.tif 000006
【図５】
2005100863.tif 000007
【図６】
2005100863.tif 000008
【図７】
2005100863.tif 000009
【図８】
2005100863.tif 000010
【図９】
2005100863.tif 000011
【図１０】
2005100863.tif 000012
【図１１】
2005100863.tif 000013
【図１２】
2005100863.tif 000014